(57)【要約】【課題】シェルの接触部に無用の外力の作用が及び難くする手段を講じることによって、接触部の不所望の変形を防止できるコネクタを提供する。【解決手段】コネクタ１は、電源コンタクト３及び多数の信号コンタクト４と、両コンタクトを保持するハウジング２と、両コンタクト及びハウジングを被覆するシェル５，６とを備える、シェルは、第１接触部５ａを有する第１シェル５と、第２接触部６ａを有する第２シェル６とから構成される。ハウジングは、略四角筒形状の保護部２ｃを有する。第１接触部と第２接触部は、保護部内で接続する。第１接触部と第２接触部は、それぞれ三つ叉状に形成され、少なくとも一方は弾性を有する。【選択図】  図１
2008192404.tif 000002
【特許請求の範囲】
【請求項１】
コンタクトと、前記コンタクトを保持するハウジングと、前記コンタクト及び前記ハウジングを被覆するシェルとを備えるコネクタにおいて、
前記シェルは、第１接触部を有する第１シェルと、第２接触部を有する第２シェルとから構成され、
前記ハウジングは、保護部を有し、
前記第１接触部と前記第２接触部は、前記保護部内で接続することを特徴とするコネクタ。
【請求項２】
前記第１接触部と前記第２接触部はそれぞれ三つ叉状に形成され、前記第１接触部と前記第２接触部の内少なくとも一方は弾性を有することを特徴とする請求項１記載のコネクタ。
【請求項３】
前記保護部は略四角筒形状に構成されることを特徴とする請求項１又は２記載のコネクタ。
【請求項４】
前記保護部は断面略コ字形状の溝に構成されることを特徴とする請求項１又は２記載のコネクタ。
【発明の詳細な説明】
【技術分野】
【０００１】
本発明は、コネクタにおけるシェルの接触構造に関し、具体的な一例として、レセプタクルコネクタとプラグコネクタの間で電気的接続を行う中継用コネクタにおけるシェルの接触構造に関する。
【背景技術】
【０００２】
従来のコネクタのフロントシェルとリヤシェルの接触構造について図７を参照して説明する。
【０００３】
図７（Ａ）〜（Ｅ）は、フロントシェル３１とリヤシェル４１の諸断面図である。
【０００４】
（Ａ）は、フロントシェル３１の断面図である。フロントシェル３１の概略構造は、幅狭の筒状部３１ａと、筒状部３１ａの下端から外側に延出するフランジ部３１ｂと、フランジ部３１ｂの先端から下方に延出する幅広の筒状部３１ｃと、筒状部３１ｃの下端から内側に向かって凸形状に湾曲するように形成される接触部３１ｄとから一体に構成される。
【０００５】
（Ｄ）は、リヤシェル４１の断面図である。リヤシェル４１の概略構造は、幅狭の筒状部４１ａと、筒状部４１ａの下端から外側に延出するフランジ部４１ｂと、フランジ部４１ｂの先端から上方に延出する幅広の筒状部（接触部）４１ｃとから一体に構成される。
【０００６】
リヤシェル４１をフロントシェル３１内に挿入すると、正常な場合には、筒状部４１ｃは接触部３１ｄと接触する。
【０００７】
しかし、（Ｂ）に示されるように、筒状部３１ｃがその上端から内側に向かって傾斜するように変形している場合には、リヤシェル４１をフロントシェル３１内に挿入しようとしても、筒状部４１ｃが接触部３１ｄと衝突するため、挿入することができない。
【０００８】
また、（Ｃ）に示されるように、筒状部３１ｃがその上端から外側に向かって傾斜するように変形している場合と、（Ｅ）の右下図に示されるように、筒状部４１ｃがその下端から内側に向かって傾斜するように変形している場合には、リヤシェル４１をフロントシェル３１内に挿入しても、（Ｅ）に示されるように、筒状部４１ｃは接触部３１ｄと接触しない。
【発明の開示】
【発明が解決しようとする課題】
【０００９】
前記従来のコネクタのフロントシェルとリヤシェルの接触構造では、フロントシェル３１の筒状部３１ｃ又はリヤシェル４１の筒状部４１ｃがシェルを組み立てる際、又は、組立後に無用の外力によって不所望に変形すると、接触部３１ｄと筒状部（接触部）４１ｃの接触が不安定となるので、フロントシェル３１とリヤシェル４１は正常に接続しない。
【００１０】
そこで、本発明は、前記従来のコネクタの欠点を改良し、シェルの接触部に無用の外力の作用が及び難くする手段を講じることによって、接触部の不所望の変形を防止することができるコネクタを提供しようとするものである。
【課題を解決するための手段】
【００１１】
本発明は、前記課題を解決するため、次の手段を採用する。
【００１２】
１．コンタクト３，４と、前記コンタクトを保持するハウジング２と、前記コンタクト及び前記ハウジングを被覆するシェル５，６とを備えるコネクタ１において、前記シェルは、第１接触部５ａを有する第１シェル５と、第２接触部６ａを有する第２シェル６とから構成され、前記ハウジングは、保護部２ｃ，２ｄを有し、前記第１接触部と前記第２接触部は、前記保護部内で接続するコネクタ。
【００１３】
２．前記第１接触部と前記第２接触部はそれぞれ三つ叉状に形成され、前記第１接触部と前記第２接触部の内少なくとも一方は弾性を有する前記１記載のコネクタ。
【００１４】
３．前記保護部２ｃは略四角筒形状に構成される前記１又は２記載のコネクタ。
【００１５】
４．前記保護部２ｄは断面略コ字形状の溝に構成される前記１又は２記載のコネクタ。
【発明の効果】
【００１６】
明細書の説明から明らかなように、本発明は、次の効果を奏する。
【００１７】
１．ハウジングは保護部を有し、第１シェルの第１接触部と第２シェルの第２接触部は保護部内で接続する。したがって、両接触部は、無用の外力の作用を被り難いので、不所望の変形の防止が可能である。
【００１８】
２．第１接触部と第２接触部はそれぞれ三叉状に形成され、両接触部の内少なくとも一方は弾性を有するので、両接触部は３箇所で確実に接触することができる。
【００１９】
３．保護部は略四角筒形状に構成されるので、両接触部は四面を包囲されるように保護される。
【００２０】
４．また、保護部は断面略コ字形状の溝に構成されるので、両接触部の三面は保護され、一面側から両接触部の接触状況を視認することができる。
【発明を実施するための最良の形態】
【００２１】
本発明の諸実施例及び変形例のコネクタ及びそのシェルについて説明する。
【実施例１】
【００２２】
本発明の実施例１のコネクタについて図１（Ａ）〜（Ｅ）を参照して説明する。
【００２３】
（Ａ）はコネクタによってプラグコネクタとレセプタクルコネクタを接続する前の状態の斜視図、（Ｂ）はコネクタの拡大斜視図、（Ｃ）は（Ｂ）における円内の拡大斜視図、（Ｄ）は側面側から見たコネクタにおける２つのシェルの接触構造の拡大断面図、（Ｅ）はコネクタ（ただし、インシュレータは省略）における２つのシェルの各接触部が接触する前の状態の拡大斜視図を、それぞれ示す。
【００２４】
（Ａ）に示されるように、コネクタ１の下方にプラグコネクタ１１が配置され、コネクタ１の上方にレセプタクルコネクタ２１が配置され、コネクタ１はそれぞれと接続する。
【００２５】
（Ｂ）に示されるように、コネクタ１におけるインシュレータ（ハウジング）２の中央部２ａの上面には、電源コンタクト３と多数の信号コンタクト４が整列されて配置され、また、電源コンタクト３と各信号コンタクト４を包囲するように、インシュレータ２の突出部２ｂが形成されている。
【００２６】
インシュレータ２の中央部２ａの側面及び下面は、第１シェル５によって被覆されている。また、中央部２ａの上面及び突出部２ｂの周囲面は、第２シェル６によって被覆されている。保護部２ｃは、４箇所（図示では一方の側面側の２箇所）形成されている。保護部２ｃには、フランジ部２ｅが形成されている。
【００２７】
第１シェル５はプラグコネクタ１１のプラグシェル（図示せず）と接続し、第２シェル６はレセプタクルコネクタ２１のレセプタクルシェル（図示せず）と接続し、それぞれと導通する。
【００２８】
（Ｃ）は、第１シェル５と第２シェル６の各接触部（（Ｄ），（Ｅ）参照）がインシュレータ２に形成されている略四角筒形状の保護部２ｃによって包囲されて保護されている構造を示す。保護部２ｃは、筒部が相手側コネクタとの嵌合方向に貫通するように形成される。
【００２９】
（Ｄ）は、保護部２ｃ内において、第１シェル５の第１接触部５ａと第２シェル６の第２接触部６ａが接触している状態を示す。
【００３０】
（Ｅ）は、第１シェル５の第１接触部５ａと第２シェル６の第２接触部６ａが接触する前の対向している状態を示す。第１接触部５ａと第２接触部６ａは、所望の圧力で接触し、しかも、所定の範囲を越えた前後左右方向への移動を防止するために、凸形状に湾曲するように形成され、また、三叉状に形成されている。この点については、変形例１〜４（図３〜６）を参照して後述する。
【００３１】
又、シェル５，６の製造時等において、接触部５ａ，６ａが多少変形しても、保護部２ｃの壁により、接触部５ａ，６ａの先端部が押されて、それぞれの相手側に向けて変位し接触するようになるので、接続が確実に行われる。
【実施例２】
【００３２】
本発明の実施例２のコネクタについて図２を参照して説明する。実施例２についての説明は、実施例１と同様な点の説明を省略し、相違する点の説明を行う。
【００３３】
実施例１においては、保護部２ｃは略四角筒形状に構成されるのに対して、実施例２においては、保護部２ｄは断面略コ字形状の溝に構成され、第１接触部５ａと第２接触部６ａの両方共溝内に配置される。したがって、前面側から第１接触部５ａと第２接触部６ａの接触状況を視認することができる。
【００３４】
［変形例１］
本発明のシェルの接触部の第１設計変更例について図３を参照して説明する。
【００３５】
（Ａ）に示されるように、第１接触部５ａは、全体的に長方形の平板に構成される。第１接触部５ａの上端から２本のスリット５ａ１が切り込まれ、中央片５ａ２と左右両側の側片５ａ３が形成される。
【００３６】
第２接触部６ａには、長方形の平板の下端から２本のスリット６ａ１が切り込まれ、中央片６ａ２と左右両側の側片６ａ３が形成される。
【００３７】
（Ｂ）に示されるように、中央片６ａ２は、根元の付近から平面板に平行に延伸し、続いて後方向に傾斜し、続いて平板面に平行に延伸し、更に、前方向に凸形状に湾曲することによって凸部６ａ２ａが形成される。各側片６ａ３は、先端付近を後方向に凸形状に湾曲することによって凸部６ａ３ａが形成される。
【００３８】
第１接触部５ａの中央片５ａ２及び各側片５ａ３と第２接触部６ａの中央片６ａ２及び各側片６ａ３は、それぞれ前後方向に弾性変形することができる。
【００３９】
第１接触部５ａの中央片５ａ２及び各側片５ａ３がそれぞれ第２接触部６ａの中央片６ａ２及び各側片６ａ３に適度な圧力で接触すると、第１シェルと第２シェルは確実に接続する。
【００４０】
［変形例２］
本発明のシェルの接触部の第２設計変更例について図４を参照して説明する。変形例２〜４についての説明は、変形例１と同様な点の説明を省略し、相違する点の説明を行う。
【００４１】
第１接触部５ａの上端から２本のスリット５ａ４が切り込まれ、中央片５ａ５と左右両側の側片５ａ６が形成される。中央片５ａ５の先端から若干離れた部位は、後方向に凸形状に湾曲し、先端から湾曲部までの間の部分は、傾斜した平面部５ａ５ａとなる。各側片５ａ６の先端付近には、後方向に傾斜した平面部５ａ６ａが形成される。
【００４２】
第２接触部６ａの下端から２本のスリット６ａ４が切り込まれ、中央片６ａ５と左右両側の側片６ａ６が形成される。中央片６ａ５は、まず、根元の付近から  
平板面に平行に延伸し、後方向に傾斜し、続いて、平板面に平行に延伸し、更に、後方向に傾斜して、平面部６ａ５ａが形成される。各側片６ａ６の先端から若干離れた部位は、後方向に凸形状に湾曲し、先端から湾曲部までの間の部分は、傾斜した平面部６ａ６ａとなる。
【００４３】
第１接触部５ａの傾斜した平面部５ａ５ａ，５ａ６ａがそれぞれ第２接触部６ａの傾斜した平面部６ａ５ａ，６ａ６ａに接触すると、両接触部５ａ，６ａは相互に容易にガイドされる。
【００４４】
［変形例３］
本発明のシェルの接触部の第３設計変更例について図５を参照して説明する。
【００４５】
第１接触部５ａの上端から２本のスリット５ａ７が切り込まれ、中央片５ａ８と左右両側の側片５ａ９が形成される。中央片５ａ８の先端から若干離れた部位に、後方向に凸形状に湾曲した凸部５ａ８ａが形成される。各側片５ａ９は、平板状に形成される。凸部５ａ８ａの頂点は、各側片５ａ９の先端よりも下方に位置する。
【００４６】
第２接触部６ａの下端から２本のスリット６ａ７が切り込まれ、中央片６ａ８と左右両側の側片６ａ９が形成される。中央片６ａ８は、中間部から後方に傾斜し、続いて、平板面に平行に延伸して、平面部６ａ８ａが形成される。各側片６ａ９は、先端付近を後方向に凸形状に湾曲することによって凸部６ａ９ａが形成される。各凸部６ａ９ａの頂点は、中央片６ａ８の先端よりも上方に位置する。
【００４７】
したがって、第１接触部５ａと第２接触部６ａが接触する際、両凸部６ａ９ａの頂点が両側片５ａ９の先端と接触する時期と、凸部５ａ８ａの頂点が中央片６ａ８の先端と接触する時期とは、異なる。すなわち、両時期の間には時間差が生じるので、第１シェルと第２シェルは軽い力（Ｚｅｒｏ  Ｉｎｓｅｒｔｉｏｎ  Ｆｏｒｃｅ）によって接続する。
【００４８】
［変形例４］
本発明のシェルの接触部の第４設計変更例について図６を参照して説明する。
【００４９】
第１接触部５ａの上端から２本のスリット５ａ１０が切り込まれ、中央片５ａ１１と左右両側の側片５ａ１２が形成される。中央片５ａ１１は、まず、根元から前方向に傾斜し、次に、途中で湾曲して後方に傾斜し、続いて、前方向に傾斜して凸部５ａ１１ａが形成される。各側片５ａ１２は、平板状に形成される。
【００５０】
第２接触部６ａの上端から２本のスリット６ａ１０が切り込まれ、中央片６ａ１１と左右両側の側片６ａ１２が形成される。中央片６ａ１１は、まず、根元から若干離れた部位が前方に傾斜し、次に、平板面に平行に延伸して平面部６ａ１１ａが形成される。各側片６ａ１２は、まず、根元から緩やかに略直角前方向に湾曲し、次に、緩やかに略直角下方向に湾曲して平板面に平行に延伸し、続いて、後方向に湾曲し、更に、前方に傾斜することにより、凸部６ａ１２ａが形成される。
【００５１】
凸部５ａ１１ａの頂点と平面部６ａ１１ａが接触する平面と、両凸部６ａ１２ａの頂点と両側片５ａ１２が接触する平面とは、同一面である。
【００５２】
したがって、第１接触部５ａと第２接触部６ａが同一平面で接触できるので、接触部の厚さが薄く構成される。
【００５３】
本発明の各実施例及び各変形例においては、第１接触部５ａと第２接触部６ａはいずれも弾性変形可能であるが、いずれか一方のみが弾性変形可能であるように設計変更することができる。
【図面の簡単な説明】
【００５４】
【図１】本発明の実施例１のコネクタの諸図を（Ａ）〜（Ｅ）に示す。
【図２】本発明の実施例２のコネクタにおけるシェルの接触部の保護部の斜視図である。
【図３】本発明におけるシェルの接触部の第１設計変更例であり、（Ａ）は正面側から見た斜視図、（Ｂ）は側面図を、それぞれ示す。
【図４】本発明におけるシェルの接触部の第２設計変更例であり、（Ａ）は正面側から見た斜視図、（Ｂ）は側面図を、それぞれ示す。
【図５】本発明におけるシェルの接触部の第３設計変更例であり、（Ａ）は正面側から見た斜視図、（Ｂ）は側面図を、それぞれ示す。
【図６】本発明におけるシェルの接触部の第４設計変更例であり、（Ａ）は正面側から見た斜視図、（Ｂ）は側面図を、それぞれ示す。
【図７】従来のコネクタにおけるシェルの諸断面図を（Ａ）〜（Ｅ）に示す。
【符号の説明】
【００５５】
１  コネクタ
２  インシュレータ（ハウジング）
２ａ  中央部
２ｂ  突出部
２ｃ  保護部
２ｄ  保護部
２ｅ  フランジ部
３  電源コンタクト
４  信号コンタクト
５  第１シェル
５ａ  第１接触部
５ａ１，５ａ４，５ａ７，５ａ１０  スリット
５ａ２，５ａ５，５ａ８，５ａ１１  中央片
５ａ３，５ａ６，５ａ９，５ａ１２  側片
５ａ５ａ  平面部
５ａ６ａ  平面部
５ａ８ａ  凸部
５ａ１１ａ  凸部
６    第２シェル
６ａ  第２接触部
６ａ１，６ａ４，６ａ７，６ａ１０  スリット
６ａ２，６ａ５，６ａ８，６ａ１１  中央片
６ａ２ａ  凸部
６ａ３，６ａ６，６ａ９，６ａ１２  側片
６ａ３ａ  凸部
６ａ５ａ  平面部
６ａ６ａ  平面部
６ａ８ａ  平面部
６ａ９ａ  凸部
６ａ１１ａ  平面部
６ａ１２ａ  凸部
１１  プラグコネクタ
２１  レセプタクルコネクタ
【図１】
2008192404.tif 000003
【図２】
2008192404.tif 000004
【図３】
2008192404.tif 000005
【図４】
2008192404.tif 000006
【図５】
2008192404.tif 000007
【図６】
2008192404.tif 000008
【図７】
2008192404.tif 000009